Podtech/llm-jp-corpus-v4-ja_patent huggingface dataset:
(57)【要約】      （修正有）【課題】雨水及び流水を動力を用いずに、ろ過集水し貯水の上活用させる装置に関するものである。【解決手段】上部にろ過層を設けた小型貯水槽を一体として数体〜数十体の下部を連結管により接続一体化させることにより、集水面積の拡大と水位の一定を保つことが可能である。利用目的にあわせて接続個数をふやすことで安定利用できるのである。【選択図】    図１
2004257213.tif 000002
【特許請求の範囲】
【請求項１】
（イ）
【図１】の桝状容器各外面に（２）の容器変形防止帯状補強材を施し一体化させた容器の上層内部に（１）のろ過材受け止め用格子枠を補強材を兼ねて固定する。容器各面底部位置に容器の大きさにより２〜３箇所（３）の連結容器との接続管取り付け穴を設ける。この（３）に
【図４】容器連結接続管を通して
【図１】の同型連結容器とを締め付け固定し連帯化させ規模に応じた貯水槽を一体化させるものである。
【発明の詳細な説明】
【０００１】
【発明の属する技術分野】
この発明は雨水及び排水を日常地盤よりろ過層を透して貯水し再利用するための装置に関するものである。
【０００２】
【従来の技術】
従来の貯水施設はコンクリートにより防火用水として道路下又は空き地下に大掛りな工事で建設するのが常識であるが、それだけにところかまわず設置することは用地日時費用面で容易ではなかった。
【０００３】
【発明が解決しようとする課題】
したがって、これまでは殆どが防火用水としてしか利用されていなかった。本発明は雨水の直接ろ過貯水に加え雨樋からの放出水も取り込むことも可能で自然を無駄なく活用する意義も大きく、又この設置場所の確保工事費用等、殆ど気にする事も無く大きくは公園広場下、運動場下、農地回りの灌漑用に、ビル回り犬走り下、小さくは住宅回りの犬走り下、ブロック敷き歩道下、街路花壇下等樹木散水用から緊急災害避難所のトイレ給水用としても簡単に規模に応じた設置を可能にする事が出来るものである。この軽量小型化された単体の連結により作業性を高め小容量から大容量まで工事が短期間で簡単に出来るために発明されたものである。
【０００４】
【課題を解決するための手段】
いま、ここにその構成を説明すると、
（イ）
【図３】（７）ろ過材容器外枠に（９）ろ過用スポンジ補強仕切板及び（８）網状プラスチック底板を固定した中に（５）粗目ろ過用化繊スポンジ板及び（４）微砂ろ過用化繊綿スポンジ板をはめ込み（６）網目状プラスチック多孔板で覆い固定したものを
【図１】上部にはめ込んだものが一体となる。
（ロ）
【図１】と
【図３】のろ過層が一体化されたものを
【図４】の容器連結接続管により四面各方向又は一面方向及び二面方向に連結をして行くことにより現地状況にあわせて各方向に一体化した容量拡大をすることが可能となる。
以上のように装置する。
【０００５】
【発明の実施の形態】
次に本発明の実施の形態を述べると、
【０００４】（イ）の通り一体化されたものを基本に
【図４】の容器連結接続管により前後左右ジグザグが地形により自在に延伸拡大設置が可能である。
【０００６】
【発明の効果】
だから利用者は一般家庭で建て屋周り犬走り下に一列配置するだけで２〜３０トンが貯水可能でこれは日常一家庭の１ヶ月使用量に匹敵する量であり、これをトイレ水洗、樹木散水に活用するだけで莫大の貴重な浄水削減に寄与するものである。又最近自治体によっては水不足解消のため下水処理水の水洗トイレ再利用を検討しているところもあるが、本発明は動力等により強制貯水するのでなく、自然の恵みを自然な形で貯水するため維持費がかからない。公園、運動場等大規模の貯水量を確保する場合でも一機に完成させずに予算に応じて随時増設することがかのうである。又街路花壇下に設置した場合は雨の降った時は勿論、日照りのときにたっぷり散水してもその内何割かは貯水槽に戻ることになり無駄とならないのである。
【図面の簡単な説明】
【図１】【本発明の構成立体斜視図】
【図２】【本発明の図１の上部内側にはめ込むろ過材容器平面図】
【図３】【本発明の図２のろ過材容器断面図】
【図４】【本発明の図１の単体容器連結の接続管平面図】
【図５】【本発明の２連結施工の完成断面図】
【符号の説明】
（１）・はろ過材受け止め格子枠。
（２）・は容器変形防止補強材。
（３）・は連結容器との接続管取り付け穴。
（４）・は微砂ろ過用化繊綿スポンジ板。
（５）・は粗目ろ過用化繊スポンジ板。
（６）・は網目状プラスチック多孔板。
（７）・はろ過材容器外枠。
（８）・は網状プラスチック底板。
（９）・はろ過用スポンジ補強仕切板。
（１０）・は締め付けキャップ。
（１１）・は歩道レンガブロック。
（１２）・はグランド表層土又は歩道下層敷き砂。
（１３）・は掘削突き固め地盤。
（１４）・は締め付けリング。
【図１】
2004257213.tif 000003
【図２】
2004257213.tif 000004
【図３】
2004257213.tif 000005
【図４】
2004257213.tif 000006
【図５】
2004257213.tif 000007
(57)【要約】【課題】両手がふさがっていても自在に水道水を出す事が出来、無駄なく利用できる。【解決手段】ワイヤーケース５の両端は完全に固定されており、その中を通るワイヤー６は、両端緩みの無い様に夫々の端を夫々のレバーに確っかりと固定されている。【選択図】  図３
2004257211.tif 000002
【特許請求の範囲】
【請求項１】
足踏み器７を矢印▲１▼の方向に踏むと、７の先端に固定されている５のパイプケースの中を通っている６ワイヤーが矢印▲１▼▲２▼▲３▼▲４▼▲５▼方向へ移動し、１６の圧縮スプリングによって止栓している１７、１７ａが緩み水道水が流れ出てくる装置。
【請求項２】
バルブ開閉レバー２は、ケトル３に直結されており、上述の一連の作動により、ケトル３は図の上方向に引き上げられる。ケトル３と一体と成っているケトル３の先端の、圧縮スプリング１６の力で流水口アを塞いでいるパッキングは上方に動き、流水口アは開放状態となり水道水が流れ出てくる装置。
【請求項３】
足踏み器の７部分から足を放すと圧縮スプリング１６の力により３のケトルは上述の【請求項１】【請求項２】の矢印▲１▼▲２▼▲３▼▲４▼▲５▼と反対方向に移動し、先端の１７ａのパッキングガ流水口アを塞ぎ水道水が止まる装置。
【請求項４】
スプリング１６は通常状態（使用してい無い状態）では、ねじ込み式内蓋１４と１７ａパッキングを具備した１７コマの間で一定の力で圧縮固定されその力が流水口アを塞いでいる装置。
【発明の詳細な説明】
【０００１】
【発明の属する技術分野】
本発明は、従来、手で操作している水道栓の蛇口の開閉を、足を踏む操作で行うシステム装置である。
【０００２】
【従来の技術】
従来は、家庭での水道の蛇口の開栓は一部（電気による物）以外は手で行っていた。
【０００３】
【発明が解決しようとする課題】
従来の方法に於いては、歯を磨く時や顔を洗う時は水道栓を開っき放にし、水道水を流しっ放しする事が多く、水道水を無駄にしている。
限りの有る自然を護り、無駄を失くす事を主眼とした。
【０００４】
【課題を解決するための手段】
上記の問題点を解決するために、本発明はスプリングとワイヤーの組み合わせで、手に代わる足を踏む事に依り水道栓の開閉を操作出来る様にした。
【０００５】
【発明の実施と形態】
本発明は、戻りバネを要し先端には止水栓ケトルに連結してあるレバーと連動するワイヤーを固定してある足踏み盤を設けた物である。
【０００６】
足踏み操作盤を踏むと、ワイヤーで止水栓ケトルが引き上げられ、圧縮スプリングにより強く押されたパッキングにより塞がれていタ流失口が開き、水道水が流れ出てくる。
【０００７】
足踏み操作盤には戻りバネが着いており、止水栓ケトルにも圧縮スプリングが着いていて、足を放せば圧縮スプリングの戻り力により止水状態に戻る様に成っている。
【０００８】
ワイヤーケースは伸縮のない物で、しかも曲がり易い性質の構造体である。
【０００９】
【実施例】
実施例について図面を参照にして説明すると、図１は一般家庭の普及用タイプを参考にし、その蛇口と本発明の納まりの姿図である。
【００１０】
図３を参照に説明すると一般家庭用の普及型のバルブを外し、先端にゴムパッキングが付いたケトル３に圧縮スプリング１６を輪通し、その上にワッシャーとゴムパッキングを装着し、既存のバルブの内側に今までと同じ様にセットする。
【００１１】
上述の作業後に内カバー１４を圧縮スプリング１６、ワッシャー１５、パッキング１５ａを内包する様にし、既存の蛇口の内ネジにねじ込む。
その時点で流失口アは完全に塞がれる。
【００１２】
ホルダー４をセットしワッシャー１３とパッキン１２を内蔵したカバーナット１で固定する。
【００１３】
ケトル３の先端にレバー２を連結しもう一方のレバー２の先端にはワイヤーケースを通って伸び出ているワイヤーが、ホルダー４の穴を通って確かっり固定されている。
【００１４】
図２を参照に説明すると、レバー２の先端に確かっり固定されたワイヤーはワイヤーケースの内を通り足踏み器に通じている。
【００１５】
足踏み器に通じたワイヤー６は、専用穴を通り足踏みレバー７の先頭部に確かっり固定されている。
【００１６】
足踏み器の足踏みレバー７はバネ１１により、矢印▲１▼と反対方向に何時も戻ろうとしている。
【００１７】
足踏み器内を通るワイヤーには、幾つかの滑車を設けた。
【図面の簡単な説明】
【図１】一般家庭用普及型器具に本発明器具をセットした図である。
【図２】足踏み器に関連するシステムの断面図である。
【図３】上部蛇口に関連するシステムの断面図である。
【図４】上部蛇口のカバーナットの断面図である。
【図５】内カバー１４の断面図でケトル３と圧縮スプリング１６、コマ１７、１７ａとの関係を示す図である。
【図６】ケトル３の姿図とそれに絡む１５ａゴムパッキングとワッシャーの断面図である。
【図７】圧縮スプリング１６の図。
【図８】足踏み器の足踏みレバー７の戻りバネ１１の図である。
【図９】本発明品上部にセットするホールダー４の展開図である。
【図１０】ホールダー４とワイヤー６、ワイヤーケース５の関係図である。
【符号の説明】
１  本考案のカバーナット
２  レバー
３  ケトル
４  ホールダー
４ａホールダーセット穴
５  ワイヤーケース
６  ワイヤー
７  足踏み器のレバー部分
８  足踏み器ケース
９  ワイヤー用滑車
１０  ワイヤー用滑車
１１  足踏み器のレバー部のスプリング
１２  パッキング
１３  ワッシャー
１４  内ネジ
１５  パッキング
１６  圧縮スプリング
１７  コマ
１７ａパッキング
ア  水道水流失口
Ａ  蛇口タンク
Ｂ  給水管
【図１】
2004257211.tif 000003
【図２】
2004257211.tif 000004
【図３】
2004257211.tif 000005
【図４】
2004257211.tif 000006
【図５】
2004257211.tif 000007
【図６】
2004257211.tif 000008
【図７】
2004257211.tif 000009
【図８】
2004257211.tif 000010
【図９】
2004257211.tif 000011
【図１０】
2004257211.tif 000012
(57)【要約】【課題】安価で簡単なパネルの取りつけで、在宅時のドアの開錠が不能となり、外部者の侵入が防げる。使用が簡易である。【解決手段】ドアロック部２とノブ１にあわせたスペースをつくったパネル３の取りつけで、勝手な外部からの開錠を防ぐ。【選択図】図１
2004257214.tif 000002
【特許請求の範囲】
【請求項１】
アパート等の入口ドアの内側のノブ（１）とロック部（２）を利用する器具をワンタッチで取りつけることにより、在宅している時に外部からの開錠が防げられる器具。
【発明の詳細な説明】
【０００１】
この発明は、玄関ドアノブに取り付けることにより、在宅している時、外部からのドア開錠が防げるものである。
【０００２】
防犯器具はワンタッチでつけられ、使勝手のよいものがなかった。
【０００３】
従来品はドアノブの内部や別のところに設置する器具ばかりで、取りつけ時、鉄製ドア等に穴をあける器具が必要でドアを傷つける場合が多かった。また、精密な物が多く、専門業者に依頼する必要があった。
【０００４】
以下、本発明の実態について説明する。
少し、変形に耐えられる素材で、縦横１０センチ弱の板状のものにドアノブ（１）とドアロック部（２）にあわせたスペースを作る構造で、ノブ側の切れ目から、取りつけ、切れ目側に付けた穴で本体をピンなどで固定する。
固定後、パネル（３）を回しロック部にはめることにより、在宅時の安全装置となり、外出時にはパネルを回せば解除できる。
【０００５】
安価で工事もいらず、見た目もよく、利用しやすい。在宅しているとき、物理的ロックにより、開錠不能である。
【図面の簡単な説明】
【図１】本発明の全体図である。
【図２】パネル安全装置のドア取りつけ時の現場図である。
【図２】パネル安全装置の取りはずし時の現場図である。
【符号の説明】
１  ドアノブ
２  ドアロック部
３  パネル（発明品）
【図１】
2004257214.tif 000003
【図２】
2004257214.tif 000004
【図３】
2004257214.tif 000005
【手続補正書】
【提出日】平成15年5月14日(2003.5.14)
【手続補正４】
【補正対象書類名】明細書
【補正対象項目名】図面の簡単な説明
【補正方法】変更
【補正の内容】
【図面の簡単な説明】
【図１】・インナーロックパネル（発明品）の全体図である。
【図２】・インナーロックパネル（発明品）をドアに取り付け、装置として活用しているときの現場図である。
【図３】・外出などでインナーロックパネル（発明品）を活用せず、現場で取りつけている状態である。（パネルが回転して施錠の妨げにならない。）
【符号の説明】
１  ドアノブ
２  ドアロック部
３  インナーロックパネル（発明品）
(57)【要約】      （修正有）【課題】ブロックに草花等を植栽出来る構造にしブロック塀等に修景効果を設ける。【解決手段】ブロック内部のブロック構造を維持する為の隔壁２を極力小さくし、底盤３及び水抜き穴６を設けるとにより植栽用土を入れ草花の植栽を可能とした塀及び花壇用のブロックである。【選択図】図２
2004257218.tif 000002
【特許請求の範囲】
【請求項１】
塀及び土止め用ブロックの内部を中空構造とし且つ底盤と水抜き穴を設け植栽用客土を入れることが出来、草花を植栽可能な構造としたブロック。
【発明の詳細な説明】
【０００１】
【発明の属する技術分野】
本発明は、ブロック構造を維持する為の隔壁を極力小さくし、底盤及び水抜き穴を設けるとにより植栽用土を入れ草花の植栽を可能とした塀用のブロックである。尚、本ブロックは、塀及び壁の最上部に使用することを目的としている為、隔壁を小さくすることは可能である。
【０００２】
【従来の技術】
従来のエクステリア用ブロックは、その目的を壁及び塀の構築目的のみに使用されていたので、ブロックの表面の化粧以外は修景効果は無かった。
【０００３】
【発明の実施の形態】
本発明は、ブロック塀等の天端を草花等の植物で修景可能とした植栽用ブロックである。それを図面について説明すれば、２枚の外部壁部１にはさまれた内側小隔壁２と内側底盤３によりブロックの構造体を維持し且つ植栽可能な形状とした物である。４は、従来のコンクリートブロックに有るモルタル充填用スペースである。
【発明の効果】
従来のコンクリートブロック塀の天端部は、殆ど効果的な修景方法が無かったが、ブロック塀の天端に草花を植栽する事により花壇スペースを取ることの出来なかった狭い敷地にも緑による修景が可能となり無味乾燥のブロック塀及び花壇の縁取りを華やかな塀や壁としてエクステリアに新しい道を切り開くことが出きる。
【図面の簡単な説明】
【図１】草花の植えられるブロックの平面図である。
【図２】草花の植えられるブロックの断面図である。
【図３】草花の植えられるブロックの斜視図である。
【図４】草花の植えられるブロックの施工予想図である。
【符号の説明】
１    外側壁部
２    内側小隔壁
３    内側底盤
４    モルタル充填スペース
５    植栽土充填スペース
６    水抜き穴
【図１】
2004257218.tif 000003
【図２】
2004257218.tif 000004
【図３】
2004257218.tif 000005
【図４】
2004257218.tif 000006
(57)【要約】【課題】畳に吹きつけによる染色をする従来からの方法はマスキングテープマスカー、新聞紙等で行ない、すべて張りつけると言う方法が取られていた。実際にこれらを実行してみると、狭い部分等やりにくい部分がたくさんあり実際の工事時間より養生時間の方が時間がかかると言うような事が度々あり、この時間的コスト、又使い捨てによる養生材コスト、使い捨てによる廃棄物の問題が発生していた。【解決手段】養生材を立体にすると言う事で、吹きつけによる霧状の液の飛散を防止し、マグネット吸着構造にする事により短時間で異なる畳の寸法に対応し、何度でも使い回しが可能となり、廃棄物がゼロで、養生時間の大幅短縮により本来の染色施工コストの低減に貢献できると言う特徴を持つ。【選択図】    図３
2004257217.tif 000002
【特許請求の範囲】
【請求項１】
畳を吹きつけにより染色する場合において、隣接した畳あるいは壁、建具等に吹きつけ時の霧状の液が付着しないよう考案された立体設置を特徴とし、３種類４枚の板を調整する事ですべてのサイズの畳に適応出来ると言う事を特徴とする養生板。
【請求項２】
すべてのサイズに適応するための方策としてマグネットによる吸着により自由に位置を変えて素早く畳一枚の大きさに適応出来ると言う事を特徴とする養生板。
【発明の詳細な説明】
【０００１】
【発明の属する技術分野】
本発明は、色あせた畳を染色技術により新品同様に蘇らせると言う手法において使用し、畳に染料を吹きつけて染色する場合の何度でも使い回しが出来る養生板に関するものである。
【０００２】
【従来の技術】
一般的に吹きつけにより染色をする場合は、飛び散った染料が付着しては困る部分にマスキングテープで新聞紙ビニール等を張り、付着を防止すると言う事が一般的に行なわれている。
【０００３】
この方法は非常に時間がかかり、実際の工事時間より養生時間の方が時間的ロスが大きい事もたびたびであり、張る、剥がす、捨てると言う事は全て使い捨てであり、ゴミをなるべく出さないと言う時流から外れた行為が行なわれている。
【０００４】
【発明が解決しようとする課題】
以上の従来技術による方法は、時間的ロスが非常に大きく、現在畳一枚に要する養生時間は平均で５分以上かかり、しかもゴミと養生材コストがかかる。
【０００５】
本発明は以上の従来技術の難点を解消する養生板を提供するものである。
【０００６】
【課題を解決するための手段】
以上の技術課題を解決するための養生板は、３種類の形状をなした４枚の板をマグネットの吸着により瞬時に畳一枚のサイズに合わせて組み立てる事が可能である。又畳一枚の施工が終了したら、同じくマグネットによる吸着部分を外し、次の畳へ移動して同じように組み立てると言う手順である。養生板は立体的に組み立てられるため吹きつけ時の染料の飛散防止効果があり、このような構造のため何度でも使い回しが可能でゴミが発生しない。
【０００７】
【発明の実施の形態】
まず、一般家庭における和室の４畳半の部屋以上はすべて同じように使用できるため、図１、図２、を参照して説明する。図１（Ａ）は畳の長辺に使用し構造材の厚さは畳の長辺に存在する縁布を覆うための用途を伴う。又（Ａ）は立体に組み立てた時の安定感を考慮し１５ミリ以上２６ミリ以下の厚さを有し長さは畳の最大寸法に対応するため１８２０ミリとする。高さは吹きつけの施工のしやすさと、染料の飛散を防止するための寸法として４５０ミリ以上５５０ミリ以下の寸法を有する。図１、２は一畳用に使用するためのマグネットを吸着させるための０．５ミリ以下の鉄板を構造材に取りつけた構造であり、図１、３は半畳専用の吸着鉄板である。図１、２は（Ｂ）５と吸着させるためマグネットが埋め込まれている。これは長辺２方に使用する。
【０００８】
図１、Ｂは畳の短辺と部屋の端四方と接する部分に使用する。厚さは畳の短辺と直接接するため０．２ミリ以上１ミリ以下とし、両端１５０ミリ下部１００ミリを空けて補強材を取り付ける。巾寸法は最大の畳に対応し、又規格品を利用するため９１４ミリとし、高さは４５０ミリ以上５５０ミリ以下とする。又大きな部屋においては部屋の端以外でも使用する事ができる。
【０００９】
図１（Ｃ）はもう一方の畳の短辺に使用する。巾３５０ミリ高さ４５０ミリ以上５５０ミリ以下とし２枚で一組で使用し、片方には薄い鉄板を取付け、もう片方にはマグネットを埋め込み畳の巾に合わせてスライド吸着させて使用する。又（Ｃ）の両端部に埋め込まれたマグネットは図１（Ａ）の２のどちらか片方の鉄板と吸着する構造である
【００１０】
上記の方法により異なる畳一枚の寸法に簡単に合わせて四辺が立体で短時間に組み立て解体ができると言う構造である。
【００１１】
【発明の効果】
以上の説明のとおり本発明は、従来の方法である使い捨てを廃し、養生時間の大幅な短縮、養生材のコストの大幅な削減を実現し、畳を染色により新品同様に蘇らせると言う施工コストの低減に貢献するものである。
【図面の簡単な説明】
【図１】本発明の実施例を示し、（Ａ）は畳の長辺二方に使用する養生板の斜視図である。（Ｂ）（Ｃ）は畳の短辺に使用する養生板の斜視図である。
【図２】図１、実施例の４畳半の部屋における半畳と一畳の養生板の組み立て完成時の平面図である
【図３】図１、実施例の畳一畳における立体組み立て完成時の斜視図である。
【符号の説明】
（Ａ）畳長辺用養生板
（Ｂ）畳短辺用養生板（部屋の端部、内部用）
（Ｃ）畳短辺養生板  （部屋の内部専用）
１、構造材
２、一畳用吸着鉄板
３、半畳用吸着鉄板
４、埋め込みマグネット
５、吸着用鉄板
６、補強材
７、構造材
８、スライド調整用吸着鉄板
【図１】
2004257217.tif 000003
【図２】
2004257217.tif 000004
【図３】
2004257217.tif 000005
(57)【要約】      （修正有）【課題】屋根のノギの所に付いている雨どいにゴミや木葉などが入った時、地上において簡単に掃除ができる雨どいラックを提供するものである。【解決手段】段雨どい受け金具とラックの金具連結により、手回しハンドル一つで誰でも簡単に編めどいが上下できる構成とし、雨どいに入ったゴミや木葉などを、雨どいを下げることにより、簡単に掃除できる用にした。【選択図】図３
2004257215.tif 000002
【特許請求の範囲】
【請求項１】
これわ雨どいを上下．自由に動かすことができる物である
【発明の詳細な説明】
［発明に属する技術分野］
これわ屋根のノギの所に付いている雨どいにゴミや木葉などが入った時地上において簡単に掃除ができるものです
しかも手廻しのハンドル１つで誰れにでも簡単に雨どいが上下でき雨どいに入っていたゴミや木葉などが雨どいを下げることにより．簡単に掃除ができるのです
【０００１】
［従来の技法］
いままで雨どいは屋根のノギの所に固定されておりました
【０００２】
［発明が解決しようとする課題］
雨どいの掃除が簡単にでき．しかも安全である
【０００３】
［課題の本質］
雨どい受け金具とラックの金具連結により雨どいが上下するのです
【０００４】
［発明の効果］
今ままでわ屋根に上がるかキャタツに乗って雨どいを掃除していたので大変危険が多かったそれを一騎に解決することが出来た
【図１】
2004257215.tif 000003
【図２】
2004257215.tif 000004
【図３】
2004257215.tif 000005
【図４】
2004257215.tif 000006
【手続補正書】
【提出日】平成15年8月15日(2003.8.15)
【手続補正１】
【補正対象書類名】明細書
【補正対象項目名】図面の簡単な説明
【補正方法】変更
【補正の内容】
【図面の簡単な説明】
【図１】この図は横から見た図です
この金具に雨どいがのります
【図２】この図は正面からみた図です
この金具は屋根のノギの所に固定されます
【図３】この図は斜めから見た図です
図１と図２を連結させた図です
【図４】この図は屋根に雨どいラックが取り付けられた所を横から見た図です
(57)【要約】【課題】主筋とフープ筋を押し込むだけで結束することができると共に、係止片にて抜け止めし、より一層確実に挟持して固定できる鉄筋結束金具を提供する。【解決手段】主筋とフープ筋を結束する鉄筋結束金具であって、大径のチューリップ形の主筋挟持具と小径のチューリップ形のフープ筋挟持具から構成され、主筋挟持具に内側に突出する係止片を設けてなることを特徴とする。【選択図】  図１
2004257222.tif 000002
【特許請求の範囲】
【請求項１】
主筋とフープ筋を結束する鉄筋結束金具であって、大径のチューリップ形の主筋挟持具と小径のチューリップ形のフープ筋挟持具から構成され、主筋挟持具に内側に突出する係止片を設けてなることを特徴とする鉄筋結束金具。
【請求項２】
フープ筋挟持具に、内側に突出する係止片を設けてなることを特徴とする請求項１記載の鉄筋結束金具。
【請求項３】
２つの主筋挟持具と１つのフープ筋挟持具とからなり、平面十字形に形成してなることを特徴とする請求項１又は２記載の鉄筋結束金具。
【請求項４】
２つの主筋挟持具と２つのフープ筋挟持具とからなり、平面十字形に形成してなることを特徴とする請求項１又は２記載の鉄筋結束金具。
【発明の詳細な説明】
【０００１】
【発明の属する技術分野】
本発明は、場所打ち杭に使用する主に鉄筋カゴの主筋とフープ筋を結束するための鉄筋結束金具に関するものである。
【０００２】
【従来の技術】
従来の技術としては、主筋とその一側に配筋されるフープ筋とを結束する鉄筋結束金具であり、主筋の外周に沿ってＵ字状をなす上下の主筋把持部と、この上下の主筋把持部間においてフープ筋の外周に沿ってＵ字状をなすフープ筋把持部と、前記主筋把持部において前記主筋を主筋把持部とによって挟持する固定ボルトとを有して構成してなることを特徴とする鉄筋結束金具がある。（特許文献１参照）
【０００３】
【特許文献１】
特開２０００−２５７２１２号公報（請求項１、図１）
【０００４】
【発明が解決しようとする課題】
上記従来技術は、Ｕ字状に形成し、固定ボルトにて挟持する形態のものであり、作業に多大な労力を要し、かつ六角レンチ等の専用工具を必要とするため工具を忘れた時、作業ができない場合があり、実用上問題がある。
本発明は、上記の問題点に鑑みなされたもので、その目的は、主筋とフープ筋を押し込むだけで結束することができると共に、係止片にて抜け止めし、より一層確実に挟持して固定できる鉄筋結束金具を提供するものである。
【０００５】
【課題を解決するための手段】
課題を解決するための手段として、主筋とフープ筋を結束する鉄筋結束金具であって、大径のチューリップ形の主筋挟持具と小径のチューリップ形のフープ筋挟持具から構成され、主筋挟持具に内側に突出する係止片を設けてなること。また、フープ筋挟持具に、内側に突出する係止片を設けてなること。さらに、２つの主筋挟持具と１つのフープ筋挟持具とからなり、平面十字形に形成してなること。その上、２つの主筋挟持具と２つのフープ筋挟持具とからなり、平面十字形に形成してなることを特徴とする。
【０００６】
【発明の実施の形態】
以下、本発明による鉄筋結束金具を図面に基づいて詳細に説明する。
鉄筋結束金具１は、２つの大径のチューリップ形の主筋挟持具２間上部に、１つの小径のチューリップ形のフープ筋挟持具３を平面十字形に形成してなるもので、主筋挟持具２の内側に突出する係止片２ａ―――を設けてなるものである。
【０００７】
上記鉄筋結束金具１の使用例を説明する。
鉄筋カゴＴにおける主筋Ｓとフープ筋Ｆの交差部分に取り付けるもので、まずフープ筋Ｆの所要位置にフープ筋挟持具３を差し込んで挟持し、つづいて主筋Ｓに主筋挟持具２を差し込んで挟持固定してなるものである。
この時、主筋挟持具２の係止片２ａが主筋Ｓを係止し、外れるのを防止するものである。
【０００８】
つぎに、他の実施例を説明する。
鉄筋結束金具２１は、上記と同様な主筋挟持具２２間上部に、２つの同様なフープ筋挟持具２３を平面十字形に形成してなるもので、まずフープ筋Ｆ１の所要位置にフープ筋挟持具２３を差し込んで挟持し、つづいて主筋Ｓ１に主筋挟持具２２を差し込み、係止片２２ａにて係止し、挟持固定してなるものである。
【０００９】
なお、上記各実施例において、鉄筋結束金具の材質としてバネ鋼が望ましい。
また、フープ筋挟持具に、内側に突出する係止片を設けることにより、より強固に挟持固定できるものである。（図示せず）
【００１０】
【発明の効果】
１）、主筋とフープ筋に差し込むだけで結束することができ、主筋挟持具の係止片にて主筋をより強固に挟持固定できる。
２）、フープ筋挟持具の係止片にてフープ筋をより強固に挟持固定できる。
３）、２つのフープ筋挟持具により、ダブルフープ筋を使用する鉄筋カゴに有効である。
【図面の簡単な説明】
【図１】本発明の鉄筋結束金具の第１実施例を示す斜視図。
【図２】本発明の鉄筋結束金具の第１実施例の使用状態を示す正面図。
【図３】本発明の鉄筋結束金具の第２実施例を示す斜視図。
【図４】本発明の鉄筋結束金具の第２実施例の使用状態を示す正面図。
【符号の説明】
１―――鉄筋結束金具
２―――主筋挟持具
２ａ――係止片
３―――フープ筋挟持具
Ｆ―――フープ筋
Ｓ―――主筋
【図１】
2004257222.tif 000003
【図２】
2004257222.tif 000004
【図３】
2004257222.tif 000005
【図４】
2004257222.tif 000006
(57)【要約】      （修正有）【課題】トラス式橋梁を一斉に折畳み可能とする。【解決手段】上弦材，垂直材，斜材，を一体構造とし，垂直材の下部は回動出来るようにヒンジ式として内側に起倒出来るようにした。【選択図】図１
2004257224.tif 000002
【特許請求の範囲】
【請求項１】
（イ）  上舷材，垂直材，斜材を一体構造とする
（ロ）  これを，長さ方向に対して直角方向に一斉に起倒出来るようにしたトラス式橋梁
【発明の詳細な説明】
【０００１】
【発明の属する技術分野】
運搬，格納が便利になる様に上部材を起倒可能としたトラス式橋梁
【０００２】
【従来の技術】
通常，トラスは全体が一体構造となっているのでかさばって，運搬，格納に不便である
【０００３】
【欠点を解決するための手段】
上舷材，垂直材，斜材を一斉に内側に起倒可能とした
【０００４】
【実施の形態】
垂直材の下端は回動出来るように下弦材に取り付けた補強板にピン接合しておく垂直部材の下部先端の止めピンにより垂直部材は直立を保ちこの止めピンを外せば内側に倒す事が出来るようになっている
【０００５】
【発明の効果】
簡単な操作で梁の高低の操作が出来るので橋梁の設置，運搬，格納が容易になる
【図面の簡単な説明】
【図１】全体図（橋として使用する時）
【図２】一部拡大図（折り畳む前の状態）
【図３】一部拡大図（折り畳んだ状態）
【図４】全体図（運搬，格納の時）
【符号の説明】
（１）は上弦材  （２）は下弦材  （３）は垂直材  （４）は斜材
（５）は垂直材を止めるための補強板  （６）は回動用ヒンジピン
（７）は取り外し式止めピン
【図１】
2004257224.tif 000003
【図２】
2004257224.tif 000004
【図３】
2004257224.tif 000005
【図４】
2004257224.tif 000006
(57)【要約】【課題】本発明は、ＤＴＧのピックオフ信号からのエラー信号を用いて、空間安定台の応答性を向上させることを目的とする。【解決手段】本発明によるダイナミカリーチューンドジャイロを用いた空間安定装置の制御方法は、ＤＴＧ（１）のピックオフコイルから得られた２軸のピックオフ信号（２，２Ａ）を直流に変換して得たエラー信号（７，７Ａ）を空間安定の制御に用いる方法である。【選択図】        図１
2004257878.tif 000002
【特許請求の範囲】
【請求項１】
ダイナミカリーチューンドジャイロ（１）から得られた複数軸のレート出力（１６，１６Ａ）を用いた空間安定装置の空間安定を制御するようにしたダイナミカリーチューンドジャイロを用いた空間安定装置の制御方法において、
前記ダイナミカリーチューンドジャイロ（１）のピックオフコイルから得られた２軸のピックオフ信号（２，２Ａ）を直流に変換して得たエラー信号（７，７Ａ）を前記空間安定装置の空間安定の制御に用いることを特徴とするダイナミカリーチューンドジャイロを用いた空間安定装置の制御方法。
【発明の詳細な説明】
【０００１】
【発明の属する技術分野】
本発明は、ダイナミカリーチューンドジャイロを用いた空間安定装置の制御方法に関し、特に、ピックオフ信号を直流変換したエラー信号を用いて速い制御を可能とし、周波数特性を向上させるための新規な改良に関する。
【０００２】
【従来の技術】
従来、用いられていたこの種のダイナミカリーチューンドジャイロを用いた空間安定装置の制御方法としては、レートセンサの角速度信号を用いて安定台の制御を行っていた（例えば、非特許文献１参照）。
【０００３】
【非特許文献１】
（株）工業調査会が２００２年１月２２日に発行した「ジャイロ活用技術入門」の第６章ジャイロの応用に開示されている。
【０００４】
【発明が解決しようとする課題】
従来のダイナミカリーチューンドジャイロを用いた空間安定装置の制御方法は、以上のように構成されていたため、次のような課題が存在していた。
すなわち、レートセンサから出力された角速度信号を用いて空間安定装置の空間安定台の制御を行っていたため、空間安定装置に急激な動きが発生した場合、追従性が悪く、いわゆる周波数特性を向上させることが困難であった。
【０００５】
本発明は、以上のような課題を解決するためになされたもので、特に、ピックオフ信号を直流変換したエラー信号を用いて速い制御を可能とし、周波数特性を向上させるようにしたダイナミカリーチューンドジャイロを用いた空間安定装置の制御方法を提供することを目的とする。
【０００６】
【課題を解決するための手段】
本発明によるダイナミカリーチューンドジャイロを用いた空間安定装置の制御方法は、ダイナミカリーチューンドジャイロから得られた複数軸のレート出力を用いて空間安定装置の空間安定を制御するようにしたダイナミカリーチューンドジャイロを用いた空間安定装置の制御方法において、前記ダイナミカリーチューンドジャイロのピックオフコイルから得られた２軸のピックオフ信号を直流に変換して得たエラー信号を前記空間安定装置の空間安定の制御に用いる方法である。
【０００７】
【発明の実施の形態】
以下、図面と共に本発明によるダイナミカリーチューンドジャイロを用いた空間安定装置の制御方法の好適な実施の形態について説明する。
図１は周知のダイナミカリーチューンドジャイロ（以下、ＤＴＧと云う）を用いた本発明の制御回路ブロックであり、この制御回路ブロックのＤＴＧであるＤＴＧ検出器１Ｙ軸ピックオフコイル（図示せず）から得られたＹ軸におけるＹ軸ピックオフ信号２は第１増幅部３で増幅された後にリファレンス信号Ｒｅｆが入力される変換器４で交流から直流に変換される。
【０００８】
前記交流から直流に変換されたＹ軸ピックオフ信号２は、オフセット信号ＯＳが入力される処理部５及びノッチフィルタ６を経てＹ軸エラー信号７として取り出される。
【０００９】
前記Ｙ軸ピックオフ信号２は、第２増幅器８及び補償回路９を介して電圧／電流変換器１０にて電流に変換されてＹ軸トルカ１１に入力されてＹ軸トルカ１１による空間安定台（図示せず）のゼロ位置リセットが行われる。
【００１０】
前記電流に変換されたＹ軸ピックオフ信号２は、電流／電圧変換器１２で電圧に変換された後にノッチフィルタ１３、オフセット信号ＯＳが入力される処理部１４及び第３増幅部１５で増幅された後にＹ軸レート出力１６として出力される。
【００１１】
また、Ｚ軸におけるＺ軸ピックオフコイル（図示せず）から得られたＺ軸におけるＺ軸ピックオフ信号２Ａは第４増幅部３Ａで増幅された後にリファレンス信号Ｒｅｆが入力される変換器４Ａで交流から直流に変換される。
【００１２】
前記交流から直流に変換されたＹ軸ピックオフ信号２Ａは、オフセット信号ＯＳが入力される処理部５Ａ及びノッチフィルタ６Ａを経てＺ軸エラー信号７Ａとして取り出される。
【００１３】
前記Ｚ軸ピックオフ信号２Ａは、第５増幅器８Ａ及び補償回路９Ａを介して電圧／電流変換器１０Ａにて電流に変換されてＺ軸トルカ１１Ａに入力されてＹ軸トルカ１１Ａによる空間安定台（図示せず）のゼロ位置リセットが行われる。
【００１４】
前記電流に変換されたＺ軸ピックオフ信号２Ａは、電流／電圧変換器１２で電圧に変換された後に、ノッチフィルタ１３Ａ、オフセット信号ＯＳが入力される処理部１４及び第６増幅部１５Ａで増幅された後にＺ軸レート出力１６Ａとして出力される。
【００１５】
次に、周知の空間安定装置の空間安定台（図示せず）に、例えば、カメラが載置されて、このカメラによって目標を追尾するような場合、この装置に設けられたＤＴＧ検出器１の各ピックオフ信号２，２Ａに基づく各レート出力１６，１６Ａに基づいて空間安定制御を行っていたが、本発明においては、直流に変換された二軸のエラー信号７，７Ａを用いて空間安定装置の制御にプラスして用いているため、例えば、急激な動きが発生した場合、入力加速度の時間微分にほぼ比例しているため、特に、周波数特性が向上し、迅速な空間安定制御が行われる。
【００１６】
【発明の効果】
本発明によるダイナミカリーチューンドジャイロを用いた空間安定装置の制御方法は、以上のように構成されているため、次のような効果を得ることができる。
すなわち、ピックオフコイルからのピックオフ信号を直流変換して得たエラー信号を空間安定装置の空間安定制御にプラスして用いているため、急激な姿勢変化に直接沿った制御を行うことができ、従来よりも素速い空間安定台の応答制御を行うことができる。
【図面の簡単な説明】
【図１】本発明によるダイナミカリーチューンドジャイロを用いた空間安定装置の制御方法を示すブロック図である。
【符号の説明】
１    ＤＴＧ検出器（ＤＴＧ）
２、２Ａ    ピックオフ信号
７、７Ａ    エラー信号
１６、１６Ａ    レート出力
【図１】
2004257878.tif 000003
(57)【要約】【課題】畳を部屋にきっちりと敷き込むと、上げることは困難である。即ち、手がかりがないため力の入れようがないためである。そのため、畳職人は手鉤と称する鉤状の道具を畳表に突き刺して畳を持ち上げている。しかし、このような方法は畳表に損傷を与え好ましくない。また、このような道具は一般家庭にはなく、また高価で危険なものであるため一般の人は、畳と畳の間に薄いものを指し込み、そこから畳をわずかでもめくりあげて持ち上げている。このような方法は当然ながら非常に面倒で手間な作業である。女性ではできない場合もある。【解決手段】テープ状引き上げ具の端部を畳の裏面に固着し、該引き上げ具の他端を畳の表面に着脱自在に固着したもの。【選択図】  図１
2004257122.tif 000002
【特許請求の範囲】
【請求項１】
テープ状引き上げ具の端部を畳の裏面に固着し、該引き上げ具の他端を畳の表面に着脱自在に固着したことを特徴とする畳。
【請求項２】
該引き上げ具は、畳縁と同様の印刷がほどこされ、且つ畳縁上に固着されているものである請求項１記載の畳。
【請求項３】
該引き上げ具は、畳表と同様の印刷がほどこされ、且つ畳表上に固着されているものである請求項１記載の畳。
【発明の詳細な説明】
【０００１】
【発明の属する技術分野】
本発明は、畳、特に持ち上げが容易な畳に関するものである。
【０００２】
【従来の技術】
畳は、比較的最近まで年に１回程度は大掃除の時に、上げて干していた。この畳の乾燥は殺菌、ダニ防止等に大きな効果があった。
しかしながら、最近では畳を上げて干しているところを見かけない。これは、大掃除という制度が消滅したことにもよるが、畳自体が重く簡単に上げ下げができないことも大きな原因である。
【０００３】
また、最近では従来の藁床ではなく、軽量のプラスチック畳床が多くなり、更に薄畳と称する２０ｍｍ程度のものも使用されてきている。
【０００４】
【発明が解決しようとする課題】
しかしながら、畳を部屋にきっちりと敷き込むと、上げることは困難である。即ち、手がかりがないため、力の入れようがないのである。
そのため、畳職人は手鉤と称する鉤状の道具を畳表に突き刺して畳を持ち上げている。しかし、このような方法は畳表に損傷を与え好ましくない。
また、このような道具は一般家庭にはなく、また高価で危険なものであるため一般の人は、畳と畳の間に薄いものを指し込み、そこから畳をわずかでもめくりあげて持ち上げている。
このような方法は当然ながら非常に面倒で手間な作業である。女性ではできない場合もある。
【０００５】
【課題を解決するための手段】
以上のような状況に鑑み、本発明者は鋭意研究の結果本発明畳を完成させたものであり、その特徴とするところは、テープ状引き上げ具の端部を畳の裏面に固着し、該引き上げ具の他端を畳の表面に着脱自在に固着した点にある。
【０００６】
ここで、テープ状引き上げ具とは、テープ状のもので畳を持ち上げる力によっては破断したり、大きく伸びたりしない強度と物性を有するものである。材質は何でもよいが、織物、プラスチックシートやフィルムが好適である。
目立たないように、畳縁や畳表と同様の外観を呈するものがよい。例えば、畳縁と同じものを使用してもよいし、畳表と同じものでもよい。畳表の場合には幅が小さいとバラけるためフィルムに貼付したものでもよい。
【０００７】
また、丈夫なフィルムやシートに畳縁や畳表と同様の印刷を施してもよいし、他の繊維やイグサを用いて独自のものや類似のものを製造してもよい。
プラスチック製の模造イグサを用いて畳表のように織ったもので、裏面を熱融着したものでもよい。
【０００８】
このテープ状引き上げ具の１端部を畳の裏面に固着する。通常は目立たないように畳の端部（縁があればその部分に重なるように）に固着するのが好適である。固着の方法は、接着や縫着でもよいが、着脱自在に面ファスナー等で固着してもよい。また、大きな摩擦がありそれによって、引き上げという動作においては滑らず引き上げられるならば、その大きな摩擦だけでも、ここでいう固着と考える。
【０００９】
テープ状引き上げ具のサイズは、特に限定しないが、破断強度があればその幅は小さくてもよい。通常は、１〜３ｃｍ程度が好適である。また、長さは畳の表側に、手で持てる程度の長さが確保できればよい。通常は、表側に３ｃｍ以上あれば持ち上げることは可能である。勿論、より長くてもよい。裏面は固着できればよく、長くする必要はない。
【００１０】
テープ状引き上げ具は、畳の表側においては固着する必要はないが、移動すると損傷したり、畳表が傷んだりするほか、見かけも悪いため、表面に着脱自在に軽く固着するのがよい。例えば、畳縁に固着可能な面ファスナーのようなものを裏面に固着しておくのがよい。
【００１１】
このテープ状引き上げ具は、畳のどの位置に、且つ何箇所設けてもよいが通常は隅の部分に１箇所である。
また、１部屋に敷き込む畳のすべてを本発明畳にする必要はなく、最低限１帖でよい。なぜならば、１帖を上げるとその他は手が入り上げやすくなるためである。
【００１２】
【発明の実施の形態】
以下図面に示す実施の形態に基づいて、本発明をより詳細に説明する。
図１は、本発明畳１の１例を示す部分斜視図である。畳の縁２の部分にテープ状引き上げ具３を設けている。この引き上げ具３は、薄いプラスチックテープで構成され、畳縁２と同じ模様に印刷されている。
【００１３】
図２は、テープ状引き上げ具３の部分の断面図である。テープ状引き上げ具３の両端部の裏面には、面ファスナー４が設けられている。また、畳縁のそれに対応する位置にも面ファスナーが設けられている。この互いの面ファスナーはオスメスでかみ合うようにするか、両用を用いればよい。両用とは、１面にオスメス両方が固着されている面ファスナーである。
【００１４】
図２（ａ）では、テープ状引き上げ具３は浮いているようであるが、実際にはほとんど分からない程度である。このテープ状引き上げ具３の上部側をめくり掴みやすいようにする（図２（ｂ））。この起ちあがった部分を把持し、引っ張ることによって畳を持ち上げる。勿論、少し浮けば、手が畳の下に入るため容易に持ち上げられる。
【００１５】
【発明の効果】
本発明畳には次のような大きな利点がある。
（１）  持ち上げ具が設けられているため、畳を簡単に上げられ、干したり、裏面に薬剤を撒いたりすることが容易である。
（２）  乾燥が容易であるため、ダニやカビの発生が抑えられ衛生的となる。
（３）  １部屋に１状だけでも効果を発揮するため、非常に安価である。
（４）  ほとんど目立たないので違和感がない。
【図面の簡単な説明】
【図１】本発明畳の１例を示す部分斜視図である。
【図２】本発明畳の１例の部分断面図である。
【符号の説明】
１  本発明畳
２  畳縁
３  テープ状引き上げ具
４  面ファスナー
【図１】
2004257122.tif 000003
【図２】
2004257122.tif 000004
(57)【要約】【課題】従来のものよりも、構造が単純で、小型軽量の回転装置を提供する。【解決手段】楕円形の内壁とカム形状のガイド部分をもつハウジングに、単又は複数個のローターを嵌め込み、内壁とガイド部分に常に接触し回転する事により、内壁とローターとの隙間容積が変化することを利用する。【選択図】図１
2004257372.tif 000002
【特許請求の範囲】
【請求項１】
楕円形の内壁とカム形状のガイド部分をもつハウジングに、単又は複数個の嵌め込まれたローターが、内壁とガイド部分に常に接触し回転する事により、内壁とローターとの隙間容積が変化することを特徴とする機械。
【請求項２】
請求項１記載の機械において、複数のローターを、中心に軸の付いたリンクを介して連結したもの。
【請求項３】
請求項１記載の機械を利用した内燃機関及びポンプ及び圧搾機において吸排気口に弁を設けたもの。
【請求項４】
楕円Ｑの円周上に任意の点Ｐをとり、その点Ｐを中心とする円Ｃと、楕円Ｑとの交点Ａから、点Ｐまでの線分Ｓの中心点を点Ｂとする。
同様にして、楕円Ｑの円周上の点に対応する点Ｂを、可能な限り求め、得られた点群を補間して、曲線Ｒとする。
この曲線Ｒを基準とする、請求項１記載のカム形状のガイド。
【請求項５】
請求項１記載の装置のローター形状を、左右非対称としたもの。
【発明の詳細な説明】
【０００１】
【発明の属する技術分野】
この発明は、内燃機関及びポンプ及びコンプレッサーの回転装置に関する。
【０００２】
【従来の技術】
従来の一般的な回転装置は、レシプロ式、或いはバンケル型ロータリー式である。
【０００３】
【発明が解決しようとする課題】
しかしながら、以上の従来技術によれば、振動が大きく、その対策として、バランスウエイトを設けるか、連装式にして振動を打ち消していたために、重量が重くなり、外観も大きくなっていた。
また、軸の一回転につき、一回のサイクル行程が限度であった。
そこでこの発明は、振動が少なく軽量小型な装置を提供することを課題とする。
【０００４】
【課題を解決するための手段】
以上の課題を解決するために、請求項１の発明は、複数個のローターを配置することを可能とし、それによりローター自身にバランスウエイトの役割を兼用させるとともに、軸の一回転につき複数のサイクル行程を行い滑らかに回転することを実現する装置である。
また請求項２の発明は、軸を中心に、各ローターを一定の間隔に保ちながら回転させるものである。
また請求項３の発明は、本発明の装置において、密封性を高めるものである。
また請求項４の発明は、本発明の装置において、ハウジング内壁とローターとを密接させるものである。
また請求項５の発明は、本発明の装置において、滑らかな回転を促進するものである
【０００５】
【発明の実施の形態】
この発明の一実施形態を、図１に示す。
ハウジング１の内壁とガイド部２の間にローター３を複数個嵌め込み、リンクプレート４及びリンクピン５で連結する。点火プラグ６、吸気口７、排気口８を適所に配置する。ハウジング１には蓋が付いており組付けボルト９、位置決めピン１０にて固定する。
この状態でローターを回転させ、中心軸１１から動力を取り出す内燃機関である。
【０００６】
【発明の効果】
この発明によれば、小型軽量で静粛性にすぐれた装置を作ることが出来る。
【図面の簡単な説明】
【図１】この発明の一実施形態を示す正面図である。
【図２】請求項５記載の、ローターの一実施例である。
【符号の説明】
１  ハウジング
２  ガイド部
３  ローター
４  リンクプレート
５  リンクピン
６  点火プラグ
７  吸気口
８  排気口
９  組付けボルト
１０  位置決めピン
１１  中心軸
１２  ハウジング内壁
１３  ローター
【図１】
2004257372.tif 000003
【図２】
2004257372.tif 000004
(57)【要約】【課題】電流検知精度の向上を図ると共に、コストの低廉化や重量減少を図る。【解決手段】磁気ヨーク１は有端円環状に形成されており、微小な空隙１ａが形成されている。この磁気ヨーク１は、被測定電流を流す電流担体２が空間中心部に通され、この被測定電流が発生する磁束を流す磁路を形成するためのものである。磁気ヨーク１の空隙１ａ内には、磁気センサ３を配置している。この磁気センサ３は、例えばホールセンサチップのベアチップから構成されており、前記空隙１ａ内における磁気ヨーク１の端部に接着により固着されている。【選択図】  図１
2004257953.tif 000002
【特許請求の範囲】
【請求項１】
一部に空隙を有し、被測定電流によって発生する磁束を通過させる磁路を形成する磁気ヨークと、
この磁気ヨークの前記空隙内に配置され、この空隙内の磁界の強さに応じた電気信号を発生する磁気センサとを備え、
この磁気センサを、ベアチップから構成し、前記空隙内における磁気ヨーク端部に固着したことを特徴とする電流センサ装置。
【発明の詳細な説明】
【０００１】
【発明の属する技術分野】
本発明は、磁気ヨークの空隙内に磁気センサを配置した電流センサ装置に関する。
【０００２】
【従来の技術】
従来の電流センサ装置としては、被測定電流が流れる電流担体を磁気ヨークで囲い、この磁気ヨークの一部に空隙を設け、この空隙に、該空隙内の磁界の強さに応じた電気信号を発生する磁気センサを配置する構成が知られている（例えば特許文献１）。
【０００３】
【特許文献１】
特開２００２−２１４２７２
【０００４】
【発明が解決しようとする課題】
ところが、磁気センサは、センサチップを樹脂モールドしたモールドＩＣから構成されているため、前記空隙を大きくする必要があり、そのため、磁界が弱まってしまい、電流検知精度が低いといった問題がある。これを改善しようとすると磁気ヨークを大きくする必要があり、この結果、コストアップや重量増加を来たしている。
【０００５】
本発明は上記事情に鑑みてなされたものであり、その目的は、電流検知精度が高く、しかもコスト高や重量増加を来たすことがない電流センサ装置を提供するにある。
【０００６】
【課題を解決するための手段】
請求項１の発明においては、この磁気センサを、ベアチップから構成したから、空隙を小さくすることが可能であり、この結果、磁路損失が少なくなり、磁界が強化される。そして、このベアチップを前記空隙内における磁気ヨーク端部に固着したこととも相俟って、電流検知精度が向上する。そして、磁気ヨークを大きくする必要もなく、コスト高や重量増加を来たすことがない。
【０００７】
【発明の実施の形態】
以下、本発明の第１の実施例につき図１を参照して説明する。磁気ヨーク１であり、これは強磁性材料（例えば鉄、ニッケル、コバルト系材料など）から有端円環状に形成されており、一部に微小な空隙１ａが形成されている。この空隙１ａは磁気ヨーク１の一端と他端との間の空隙であり、便宜上寸法線で示している。
【０００８】
この磁気ヨーク１は、被測定電流を流す電流担体２が空間中心部に通されて、この被測定電流が発生する磁束を流す磁路を形成するためのものである。この磁気ヨーク１の空隙１ａ内には、磁気センサ３を配置している。この磁気センサ３は、例えばホールセンサチップのベアチップから構成されており、前記空隙１ａ内における磁気ヨーク１の端部に接着剤４により固着されている。上記ベアチップからなる磁気センサ３は、回路基板にホール素子及びその他の信号回路を実装したものである。
【０００９】
そして、この磁気センサ３には水封用の例えばシリコン樹脂からなる塗布材がコーティングされていて、水や汚染から保護している。この磁気センサ３は空隙１ａ内の磁界の強さに応じた電気信号を出力するようになっている。
【００１０】
このような本実施例によれば、この磁気センサ３を、ベアチップから構成したから、空隙１ａを小さくすることが可能であり、この結果、磁路損失が少なく、従来に比して磁界が強化される。そして、このベアチップからなる磁気センサ３を前記空隙１ａ内における磁気ヨーク１端部に固着したこととも相俟って、電流検知精度が向上する。そして、磁気ヨーク１を大きくする必要もなく、コスト高や重量増加を来たすことがない。
【００１１】
なお、本発明は上記実施例に限定されるものではなく、本発明の第２の実施例として示す図２のように、水封用の樹脂５を空隙１ａ部分に外側から塗布する構成としても良い。また、水封用のコーティング材料はシリコン樹脂に限らないものであり、また、磁気ヨークの形状も矩形状であっても良いなど、種々変更して実施できる。
【図面の簡単な説明】
【図１】本発明の第１の実施例を示すセンサ装置全体の斜視図
【図２】本発明の第２の実施例を示すセンサ装置全体の斜視図
【符号の説明】
１は磁気ヨーク、１ａは空隙、２は電流担体、３は磁気センサ、５は樹脂を示す。
【図１】
2004257953.tif 000003
【図２】
2004257953.tif 000004